【事件の表示】
　上記当事者間の登録第４７７７１１７号商標の登録取消審判事件について、次のとおり審決する。
【結　論】
　登録第４７７７１１７号商標の指定商品中、第１８類「かばん類，袋物，かばん金具，がま口口金，携帯用化粧道具入れ，傘」については、その登録は取り消す。
　審判費用は、被請求人の負担とする。
【理　由】
第１　本件商標
　本件登録第４７７７１１７号商標（以下「本件商標」という。）は、別掲１のとおりの構成よりなり、平成１５年１０月３日に登録出願、第１８類「かばん類，袋物，かばん金具，がま口口金，皮革製包装用容器，愛玩動物用被服類，携帯用化粧道具入れ，傘，ステッキ，つえ，つえ金具，つえの柄，乗馬用具，皮革」を指定商品として、同１６年６月１１日に設定登録され、現に有効に存続しているものである。
　なお、本件審判請求の登録は、平成２３年１２月１９日にされている。
　
第２　請求人の主張
　請求人は、結論同旨の審決を求めると申し立て、その理由及び答弁に対する弁駁を要旨次のように述べ、証拠方法として、甲第１号証の１を提出した。
１　理由
　本件商標は、その指定商品中「かばん類，袋物，かばん金具，がま口口金，携帯用化粧道具入れ，傘」について、継続して３年以上日本国内において商標権者、専用使用権者又は通常使用権者のいずれも使用した事実が存しないから、商標法第５０条第１項の規定により取り消されるべきものである。
２　答弁に対する弁駁
（１）被請求人提出の乙第１号証ないし乙第５号証を参照するに、乙第１号証、乙第３号証及び乙第５号証において、本件商標と同一のマークが付されたハンドバッグ及び財布が示されている。
　しかしながら、同証拠に示されているように、これらハンドバッグ及び財布の広告欄には、いずれも「Ａｒｉｓｔａ　Ａｒｔｉｇｉａｎｏ」なる商品名が表記されている。すなわち、この「Ａｒｉｓｔａ　Ａｒｔｉｇｉａｎｏ」の名称が、被請求人提出の証拠に示された商品の自他商品識別標識として機能している。これは、乙第２号証及び乙第４号証に係る納品書においても、被請求人が、商品名として「Ａ．アルジャーノ」又は「ＡＡバッグ」（いずれも、「Ａｒｉｓｔａ　Ａｒｔｉｇｉａｎｏ」の略記であると考えられる。）と表記していることからも、明らかである。また、被請求人は、このような方法で、上記商品の取引を行っていることから、需要者・取引者は、「Ａｒｉｓｔａ　Ａｒｔｉｇｉａｎｏ」なる名称から、上記商品を識別している。逆に言えば、本件商標と同一のマークは、商品の識別標識として認識されていない。
（２）一方で、上記商品における取引業界において、自他商品識別機能を奏する標章は、商品の目立たない位置に配置され、かつ、商品全体に対して小さめにデザインされることが慣行として行われている。このような状況下、被請求人提出の証拠に示される商品を参照すると、本件商標と同一のマークが、商品全体に渡って広々と描かれている。そのため、このような態様のマークを見た需要者・取引者は、これを自他商品の識別標識とみるのではなく、商品の図柄や模様として認識するものである。
（３）したがって、被請求人の、証拠に示される本件商標の使用態様は、商標的使用態様ではなく、ゆえに、商標法第５０条第１項に規定される登録商標の「使用」は、行われていない。
（４）　まとめ
　以上のとおり、被請求人は、本件審判の請求の登録前３年以内に、日本国内において、本件商標の指定商品中「かばん類，袋物，かばん金具，がま口口金，携帯用化粧道具入れ，傘」について、本件商標の使用をしていない。
　したがって、本件商標は、その指定商品中、上記商品についての登録を商標法第５０条第１項の規定により取り消されるべきものである。
　
第３　被請求人の答弁
　被請求人は、「本件審判の請求は成り立たない。審判費用は請求人の負担とする。」との審決を求めると答弁し、その理由を要旨次のように述べ、乙第１号証ないし乙第５号証を提出した。
　理由
１　被請求人（商標権者）は、本件審判の請求があった日時より過去３年以内も現在も本件商標を使用し販売継続している。
２　請求人は、「本件商標は、商品の識別標識として認識されていない」旨、主張しているが、「Ａｒｉｓｔａ　Ａｒｔｉｇｉａｎｏ」だけが商標ではなく、本件商標は全ての商品に統一して使用されている。
　したがって、本件商標の図形（柄）の一単位が商品の出所として自他商品を識別認識されるものである。
　商品には、本件商標を繰り返し使用しているが、本件商標の図形（柄）パターンは同一であり、本件商標の一単位を抽出できるため、商標として機能しており、その使用は自他商品の識別標識として認識される。
　
第４　当審の判断
１　乙第１号証ないし乙第５号証によれば、以下の事実が認められる。
（１）乙第１号証（チラシ）は、その上部に「ナイスミセス　カタログ番号３２１３号　おしゃれお値打ち品」及び「・・・割引の有効期限は２０１０年１月２日・・・までとなりますので、ご注文はお早めに！」と記載されたチラシ（正本は、全８頁よりなるチラシ原本、副本は、正本チラシの５頁目の写しのみ。また、副本は、上部が未複写のため、右記載は非表示）であるところ、当該５頁目（副本にもあり）の左下部には、別掲２のとおりのバッグ複数と財布の写真が表示され、その写真の中央右の横長四角形枠内に「Ａｒｉｓｔａ　Ａｒｔｉｇｉａｎｏ」の記載、また、左下部には「＜アルティスタ・アルティジャーノ＞／バッグ福袋／・・・」の記載、そして当該頁の右下欄外に「・・・大阪市北区・・・株式会社ジャパンホームショッピングサービス」と記載（副本には、法人名の末尾部分が非表示）されている。
　そして、別掲２に掲載されているバッグと財布には、それぞれに複数の幾何図形が当該商品の表面全体に施されている。
（２）乙第２号証は、被請求人（権利者）である大阪市藤井寺市在の「有限会社芦田企画」から「（株）ジャパンホームショッピングサービス」に宛てた２件の納品書（控）の写しであるところ、１件目の「着日（年月日）」欄には「２２　１　９」、２件目には「１００１１５」と記載されている。
　そして当該２件の納品書（控）の１件目の「品名」欄には、「＜Ａ・アルティジャーノ＞バッグ福袋」と記載されている。
（３）乙第３号証は、審判長宛、平成２４年２月２０日付けの「販売証明書」であるところ、そこには、「株式会社東洋捺染（・・・京都市下京区・・・）は、同系列会社　株式会社京都通販の発行する下記媒体において有限会社芦田企画（・・・大阪市松原市・・・）により生産された『アルティスタ・アルティジャーノ　３点セット』を同子会社　株式会社ＡＳＳＯ　ＩＮＴＥＲＮＡＴＩＯＮＡＬ（大阪市藤井寺市・・・）を通じて購入し販売いたしました。」との記述があり、その下部に「媒体名：ロリエ　同梱チラシ　中面　１１０８２３号」「発行日：２０１１年８月２３日発刊より３か月間販売。」「発行人：株式会社京都通販・・・京都市下京区・・・」「商品名：『アルティスタ・アルティジャーノ　３点セット』」「掲載誌面：添付資料」の各記載がある。
　そして、添付資料であるチラシの写しには、別掲３に掲載されているバッグと財布のそれぞれに複数の幾何図形がこれら商品の表面全体に施され、当該チラシ上部中央には、「Ａｒｉｓｔａ　Ａｒｔｉｇｉａｎｏ」の記載、左下部に「アルティスタ・アルティジャーノ３点セット（選べる２タイプ）」の記載、その直下の「タイプ」欄及び「申込番号」欄に、「Ａセット」が「３１３−１５０５０」、「Ｂセット」が「３１３−１５０６０」である旨、記載されている。
（４）乙第４号証は、平成２３年９月５日、同７日及び同２１日付け「株式会社アッソ　インターナショナル」が「株式会社東洋捺染」宛に販売した３件の「売上伝票控」の写しであるところ、その１件目の４段目には、「仕入先品番」欄、「品名」欄及び「申込番号（サイズコードを含む）」欄の各欄に順に「ボストン」、「ＡＡバッグ・３テンＢセッ」及び「３１３−１５０６０」と記載されている。
（５）乙第５号証は、「婦人靴メーカー直販店ソールカウンター」のウェブサイトであるところ、その上段部に「アルティスタ・アルティジャーノ　長財布 ２３０１０／品番：２３０１０」の記載、中央部分に別掲４のとおりの財布の写真が表示され、その右側に「商品コード：２３０１０／・・・」と記載されている。
　なお、ウェブサイトには、その打出し日、商品の販売年月日は見当たらない。
２　以上の事実及び被請求人の主張より、以下判断する。
（１）使用標章の時期、使用商品及び使用者について
　ア 乙第１号証及び乙第２号証について
　乙第１号証のチラシの上部には、前記１で記載したとおり、「・・・割引の有効期限は２０１０年１月２日・・・までとなりますので、ご注文はお早めに！」と記載されていることから、当該チラシは、２００９年１２月前後に作成されたとみるのが、相当である（答弁書においては、平成２１年（２００９年）１２月１９日発刊と記載）。
　そして、当該チラシ中の「＜Ａ・アルティジャーノ＞バッグ福袋」の記載が、乙第２号証における「品名」欄の記載と同一であること及び乙第２号証の「納品書（控）」の宛先が、乙第１号証のチラシの右下部に記載された「株式会社ジャパンホームショッピングサービス」と一致することからすれば、直接証拠が見あたらないとしても、乙第１号証のチラシの掲載商品「バッグ及び財布」は、大阪府藤井寺市在の被請求人（権利者）の製造にかかる商品であると推認することができる。
　したがって、被請求人（権利者）は、本件審判の要証期間内に使用標章（バッグ等の表面の標章）をバッグと財布からなる「アルティスタ・アルティジャーノ３点セット」（以下、「使用商品」という。）に施していたことが推認できる。
　イ　乙第３号証及び乙第４号証について
　乙第３号証の「添付資料」は、別掲３に掲載した１枚紙のみであるところ、これ自体からでは、そこに掲載された商品「バッグ及び財布」の製造者、当該「添付資料」の広告者及び広告の発行日等が全く不明である。
　ところで、乙第３号証の「販売証明書」は、乙第４号証の「売上伝票控」を説明するためのものと思われるところ、当該「販売証明書」によれば、被請求人（権利者）である「有限会社芦田企画」が生産した「バッグ及び財布」を同人の小会社と称する大阪府藤井寺市在の「株式会社ＡＳＳＯ　ＩＮＴＥＲＮＡＴＩＯＮＡＬ」を通じて京都府下京区在の「株式会社東洋捺染」が購入・販売した旨、記載され、さらに当該「添付資料」の広告は、「株式会社東洋捺染」の同系列会社が発行している旨、記載されている。
　乙第４号証は、「株式会社アッソ　インターナショナル」が、「株式会社東洋捺染」に対し、商品を販売したことが認められる「売上伝票控」であるところ、その１件目の２３年９月５日付け（要証期間内）「売上伝票控」の４段目における「仕入先品番」が「ボストン」、「品名」が「ＡＡバッグ・３テンＢセッ」及び「申込番号」が「３１３−１５０６０」の各記載が、乙第３号証「添付資料」中の「ボストン」、「アルティスタ・アルティジャーノ３点セット」、「タイプ」が「Ｂセット」及び「申込番号」が「３１３−１５０６０」と実質的に一致していることが認められる。
　これら乙第３号証及び乙第４号証からすれば、「株式会社アッソ　インターナショナル」と「株式会社東洋捺染」が、被請求人（権利者）製造の使用商品を取引した事実が推認できる。
　したがって、被請求人（権利者）は、本件審判の要証期間内に使用標章（バッグ等の表面の標章）を使用商品に施していたことが推認できる。
　ウ　乙第５号証について
　乙第５号証は、使用標章が施された財布の通信販売を示す第三者のウェブサイトであるが、いつの時点におけるサイトなのか、不明であること、及び「アルティスタ　アルティジャーノ　長財布」の記載があるものの、被請求人（権利者）との関係が明らかでないことから、同号証も被請求人（権利者）が本件審判の要証期間内に使用標章をその商品に施していたことを認めることができない。
（２）本件商標について
　本件商標は、別掲１のとおり９個の特異な幾何図形を菱形状に配置した一つのまとまった図形というのが相当である。
（３）被請求人の使用標章について
　被請求人は、別掲２ないし別掲４のとおり、「バッグ及び財布」に本件商標を使用していると主張しているところ、該「バッグ及び財布」の表面全体には複数の幾何図形が連続反復して施されており、本件商標と同一部分である９個の幾何図形に着目し、これを１単位とみても、隣り合う四方の９個の幾何図形の一部とそれぞれ共有するものであることとも相俟って、如何なる単位の幾何図形を特定して表記したのか理解し難いものであり、取引者・需要者をして、バッグ及び財布の生地（素材）に施した地模様（柄）とのみ認識されるとみるのが相当である。
　そして、使用標章が、地模様（柄）のみからなるものと認識される場合は、需要者が何人かの業務に係る商品であることを認識することができず、係る使用は商標的使用には、当たらないものというのが相当であって、不使用取消審判における「商品についての登録商標の使用」は、いわゆる商標的使用の行為があったことを必要とする。
　そして、このことは、東京高裁平成１２年（行ケ）第１１７号判決において、以下の如く説示されていることからも裏付けられている。
　「商標法５０条の適用上、・・・『商品についての登録商標の使用』があったというためには、当該商品の識別表示として同法２条３項、４項所定の行為がされることを要するものというべきである。」。なお、ここでの同法とは、商標法を指している。
（４）被請求人使用標章と本件商標との社会通念上の同一性について
　仮に被請求人（権利者）の使用標章が、商標的使用であるとした場合であっても以下により、使用標章は、本件商標と社会通念上同一とは認めることができない。
　本件商標は、前記（２）において記載したとおり、９個の特異な幾何図形を菱形状に配置した一つのまとまった図形というのが相当であるのに対し、
使用標章は、前記（３）において記載したとおり、如何なる単位の幾何図形を特定して表記したのか理解し難いものであることから、結局、使用標章は、本件商標とは社会通念上同一のものとは認めることができない。　
（５）小括
　してみれば、被請求人（権利者）は、乙第１号証ないし乙第４号証の如く、日本国内において、本件審判の要証期間内に使用標章を本件取消請求に係る指定商品中の「かばん類，袋物」に属する商品である「バッグ及び財布」に施しているものと推認できるものではあるが、その使用標章の使用は、商標的使用に該当しないものといわざるを得ない。
　また、これら乙第１号証ないし乙第４号証の使用が仮に、商標的使用であるとしても、使用標章は、本件商標とは社会通念上同一のものとは認めることができない。
３　まとめ
　以上のとおり、被請求人の提出に係る乙各号証によっては、被請求人は、本件審判の要証期間内に、日本国内において、商標権者、専用使用権者又は通常使用権者のいずれかがその請求に係る指定商品のいずれかについて本件商標と社会通念上同一の商標を使用していたことを証明していないものといざるを得ず、また、被請求人は使用していないことについて正当な理由があるとも認められないものである。
　したがって、本件商標は、商標法第５０条の規定により、その指定商品中「かばん類，袋物，かばん金具，がま口口金，携帯用化粧道具入れ，傘」についての登録を取り消すべきものとする。
　よって、結論のとおり審決する。